(57)【特許請求の範囲】
【請求項１】
画像を表示する表示手段と、
予め定められた各々異なる複数の文字が前記表示手段に表示されるように前記表示手段を制御する第１制御手段と、
前記表示手段の表示面上における指示体の動作と当該指示体の位置とを検出する検出手段と、
前記検出手段が検出した動作が、表示された前記複数の文字のいずれかを指定する動作である場合、指定された文字が前記表示手段の予め定められた領域に表示されるように前記表示手段を制御する第２制御手段と、
前記検出手段が検出した位置が前記領域内であり、前記検出手段が検出した動作が予め定められた複数の動作のうちのいずれかの動作である場合、前記領域に表示されて選択されている文字を当該動作に対応付けられた変換規則に従って変換する変換手段と
を備え、
前記検出手段は、複数の指示体の動作及び位置を検出し、
前記検出手段が検出した前記複数の指示体のいずれかの動作が前記複数の文字のいずれかを指定する動作であり、文字を指定した指示体以外の指示体の動作が文字を指定した指示体との距離を変更する動作又は前記表示面を叩く動作である場合、指示体で指定されている文字を当該動作に対応付けられた変換規則に従って変換し、変換後の文字が表示されるように前記表示手段を制御する
文字処理装置。
【請求項２】
コンピュータを、
予め定められた各々異なる複数の文字が画像を表示する表示手段に表示されるように前記表示手段を制御する第１制御手段と、
前記表示手段の表示面上における指示体の動作と当該指示体の位置とを検出する手段であって、複数の指示体の動作及び位置を検出する検出手段と、
前記検出手段が検出した動作が、表示された前記複数の文字のいずれかを指定する動作である場合、指定された文字が前記表示手段の予め定められた領域に表示されるように前記表示手段を制御する第２制御手段と、
前記検出手段が検出した位置が前記領域内であり、前記検出手段が検出した動作が予め定められた複数の動作のうちのいずれかの動作である場合、前記領域に表示されて選択されている文字を当該動作に対応付けられた変換規則に従って変換する変換手段と、
前記検出手段が検出した前記複数の指示体のいずれかの動作が前記複数の文字のいずれかを指定する動作であり、文字を指定した指示体以外の指示体の動作が文字を指定した指示体との距離を変更する動作又は前記表示面を叩く動作である場合、指示体で指定されている文字を当該動作に対応付けられた変換規則に従って変換し、変換後の文字が表示されるように前記表示手段を制御する手段
として機能させるためのプログラム。
【発明の詳細な説明】
【技術分野】
【０００１】
本発明は、文字処理装置及びプログラムに関する。
【背景技術】
【０００２】
文字入力の発明として例えば特許文献１，２に開示された装置がある。特許文献１に開示された装置では、５０音のあ段の平仮名がタッチパネルに表示され、表示された平仮名のいずれかにユーザが指で触れると５０音の行が選択される。また、この選択後に指をタッチパネル上で動かすと、選択された行に含まれる平仮名のいずれかが指のＹ方向への移動距離に応じて選択され、選択された平仮名の属性（濁音、半濁音、小文字、長音、促音など）が指のＸ方向への移動距離に応じて選択される。また、特許文献２に開示された装置は、５０音のあ段の平仮名が配置されたキーが押された回数に応じて清音を選択し、清音を選択した後にキーが押され続けた時間に応じて小文字への変換や濁音、半濁音の追加を行う。
【先行技術文献】
【特許文献】
【０００３】
【特許文献１】特開２００９−１９９３２３号公報
【特許文献２】特開２００２−８２７６０号公報
【発明の概要】
【発明が解決しようとする課題】
【０００４】
本発明は、上述した背景の下になされたものであり、文字変換のためのユーザインターフェースの画像を操作しなくても文字変換を行えるようにすることを目的とする。
【課題を解決するための手段】
【０００５】
本発明の請求項１に係る文字処理装置は、画像を表示する表示手段と、予め定められた各々異なる複数の文字が前記表示手段に表示されるように前記表示手段を制御する第１制御手段と、前記表示手段の表示面上における指示体の動作と当該指示体の位置とを検出する検出手段と、前記検出手段が検出した動作が、表示された前記複数の文字のいずれかを指定する動作である場合、指定された文字が前記表示手段の予め定められた領域に表示されるように前記表示手段を制御する第２制御手段と、前記検出手段が検出した位置が前記領域内であり、前記検出手段が検出した動作が予め定められた複数の動作のうちのいずれかの動作である場合、前記領域に表示されて選択されている文字を当該動作に対応付けられた変換規則に従って変換する変換手段とを備え、前記検出手段は、複数の指示体の動作及び位置を検出し、前記検出手段が検出した前記複数の指示体のいずれかの動作が前記複数の文字のいずれかを指定する動作であり、文字を指定した指示体以外の指示体の動作が文字を指定した指示体との距離を変更する動作又は前記表示面を叩く動作である場合、指示体で指定されている文字を当該動作に対応付けられた変換規則に従って変換し、変換後の文字が表示されるように前記表示手段を制御する構成を有する。
【０００８】
本発明の請求項２に係るプログラムは、コンピュータを、予め定められた各々異なる複数の文字が画像を表示する表示手段に表示されるように前記表示手段を制御する第１制御手段と、前記表示手段の表示面上における指示体の動作と当該指示体の位置とを検出する手段であって、複数の指示体の動作及び位置を検出する検出手段と、前記検出手段が検出した動作が、表示された前記複数の文字のいずれかを指定する動作である場合、指定された文字が前記表示手段の予め定められた領域に表示されるように前記表示手段を制御する第２制御手段と、前記検出手段が検出した位置が前記領域内であり、前記検出手段が検出した動作が予め定められた複数の動作のうちのいずれかの動作である場合、前記領域に表示されて選択されている文字を当該動作に対応付けられた変換規則に従って変換する変換手段と、前記検出手段が検出した前記複数の指示体のいずれかの動作が前記複数の文字のいずれかを指定する動作であり、文字を指定した指示体以外の指示体の動作が文字を指定した指示体との距離を変更する動作又は前記表示面を叩く動作である場合、指示体で指定されている文字を当該動作に対応付けられた変換規則に従って変換し、変換後の文字が表示されるように前記表示手段を制御する手段として機能させる。
【発明の効果】
【０００９】
請求項１，２の構成によれば、文字変換のためのユーザインターフェースの画像を操作しなくても文字変換を行うことが可能である。
【図面の簡単な説明】
【００１０】
【図１】本発明の一実施形態に係る画像形成装置のハードウェアの構成を示したブロック図。
【図２】制御部１０２において実現する機能の構成を示したブロック図。
【図３】制御部１０２が行う処理の流れを示したフローチャート。
【図４】制御部１０２が行う処理の流れを示したフローチャート。
【図５】制御部１０２が行う処理の流れを示したフローチャート。
【図６】制御部１０２が行う処理の流れを示したフローチャート。
【図７】制御部１０２が行う処理の流れを示したフローチャート。
【図８】制御部１０２が行う処理の流れを示したフローチャート。
【図９】制御部１０２が行う処理の流れを示したフローチャート。
【図１０】表示部１０４２に表示される画面の一例を示した図。
【図１１】表示部１０４２に表示される画面の一例を示した図。
【図１２】変形例において表示される画面の一例を示した図。
【発明を実施するための形態】
【００１１】
［実施形態］
図１は、本発明の一実施形態に係る画像形成装置１のハードウェア構成を示した図である。本実施形態に係る画像形成装置１は電子写真方式の画像形成装置である。画像形成装置１は、他のコンピュータ装置から送られたデータに従って用紙に画像を形成する画像形成機能、文書を複写する複写機能、用紙に形成されている画像を読み取るスキャン機能、ファクシミリ機能などを備えている。なお、画像形成装置１は、上述した機能を全て備えているものに限定されず、例えば、画像形成機能および複写機能を備えており、他の機能を備えていない構成であってもよい。
【００１２】
図に示したように画像形成装置１の各部はバス１０１に接続され、バス１０１を介して各部間でデータのやり取りを行う。
本実施形態の操作部１０４は、画像形成装置１を操作するための複数のボタンを備えている。また、操作部１０４は、画像を表示する表示手段の一例である表示部１０４２と、表示部１０４２の表面に設けられ、表示部１０４２が表示した画像を透過し、指示体の一例である指が触れた位置を検知する検知部１０４１とが一体化したタッチスクリーン１０４Ａを備えている。なお、表示部１０４２としては、液晶ディスプレイ又は有機ＥＬ（Electro Luminescence）ディスプレイが用いられる。また、検知部１０４１としては、触れている複数の指の位置を検知するもの（例えば静電容量方式のもの）が用いられる。
【００１３】
本実施形態の通信部１０９は、通信ケーブルで通信回線に接続され、通信回線に接続されている他の装置とデータ通信を行う。なお、通信回線としては、電話回線やＬＡＮ（local Area Network）等が挙げられる。通信部１０９は、例えば用紙に形成する画像を表す画像データを受信する。通信部１０９が受信した画像データは、画像処理部１０８へ供給される。
【００１４】
読取部１０６は、用紙上に形成されている文字や画像を光学的に読み取り、読み取った画像を表す画像データを生成する画像読取装置（図示略）を備えている。読取部１０６は、生成した画像データを画像処理部１０８へ供給する。
画像処理部１０８は、供給される画像データに各種処理を施すものである。画像処理部１０８は、供給される画像データが表す画像に色補正や階調補正等の画像処理を施し、画像処理が施された画像からＹ（Yellow），Ｍ（Magenta），Ｃ（Cyan），Ｋ（Key tone：本実施形態では黒）の各色の画像の画像データを生成して画像形成部１０７へ出力する。
【００１５】
本実施形態の画像形成部１０７は、電子写真方式によって用紙にトナー像を形成する。具体的には、画像形成部１０７は、上記のＹ，Ｍ，Ｃ及びＫの色毎に、トナー像を形成する画像形成部を備えている。各画像形成部は、画像処理部１０８から供給される画像データに従って感光体上に静電潜像を形成した後、感光体表面にトナーを付着させてトナー像を形成し、このトナー像を用紙に転写する。そして、用紙に転写されたトナー像に熱と圧力を加えて定着させた後、トナー像が形成された用紙を画像形成装置１の外へ排出する。
なお、本実施形態においてはトナーを用いて用紙に画像を形成するが、インクジェット方式などのインクを用いて用紙に画像を形成する構成としてもよい。
【００１６】
本実施形態の記憶部１０３は、電力を供給しなくともデータを保持する記憶装置（例えば、ハードディスク装置）を具備しており、通信部１０９で受信した画像データや読取部１０６で生成された画像データなどを記憶する。
本実施形態の制御部１０２は、ＣＰＵ（Central Processing Unit）１０２Ａ、ＲＯＭ（Read Only Memory）１０２ＢおよびＲＡＭ（Random Access Memory）１０２Ｃ等を備えた、所謂マイクロコンピュータである。ＣＰＵ１０２Ａが、ＲＯＭ１０２Ｂに記憶されているプログラムを実行すると、上述した画像形成機能、複写機能、ファクシミリ機能およびスキャン機能などが実現する。また、ＣＰＵ１０２Ａが、ＲＯＭ１０２Ｂに記憶されているプログラムを実行すると、文字入力や文字変換の機能が実現する。つまり本実施形態に係る画像形成装置１は、文字入力や文字変換など文字を処理する文字処理装置の一例である。
【００１７】
（画像形成装置１の機能構成）
図２は、制御部１０２において実現する機能のうち、文字入力や文字変換の機能に係る機能の構成を示したブロック図である。
検出部２０２は、検知部１０４１が検知した位置を用いて、指示体の動作と指示体の位置とを検出する。検出部２０２は、指示体の動作と位置とを検出する検出手段の一例である。
第１制御部２００は、予め定められた各々異なる複数の文字が表示部１０４２に表示されるように、表示部１０４２を制御する。例えば、第１制御部２００は、図１０に示したように、表示画面内の領域Ａ１に５０音の清音の文字（予め定められた各々異なる複数の文字）の画像が表示されるように表示部１０４２を制御する。第１制御部２００は、表示部１０４２（表示手段）の予め定めれた領域に予め定められた各々異なる複数の文字が表示されるように表示部１０４２を制御する第１制御手段の一例である。
【００１８】
第２制御部２０１は、検出部２０２が検知した動作が領域Ａ１に表示された文字を指定する動作である場合、指定された文字が表示部１０４２領域Ａ２に表示されるように表示部１０４２を制御する。第２制御部２０１は、指定された文字が表示されるように表示部１０４２を制御する第２制御手段の一例である。
変換部２０３は、検出部２０２が検知した位置が領域Ａ２内であり、検出した動作が予め定められた複数の動作のうちのいずれかの動作である場合、領域Ａ２に表示されて選択されている文字を当該動作に対応付けられた変換規則に従って変換する。変換部２０３は、文字を変換する変換手段の一例である。
【００１９】
（画像形成装置１の動作）
次に画像形成装置１の動作の一例について説明する。ファクシミリ機能を備える画像形成装置１においては、宛先名とＦＡＸ番号を登録し、登録された宛先名をユーザが選択すると、選択された宛先名に対応付けられたＦＡＸ番号で文書を送信する機能がある。ここで、宛先名を登録するときに文字入力が行われ、入力された文字列が宛先名として登録される。
【００２０】
宛先名を入力する際には、図１０に例示した画像が表示部１０４２にされる。図１０の画像においては、領域Ａ１と領域Ａ２とが設けられている。領域Ａ１は、文字入力のためのキーの画像が表示される領域である。平仮名を入力する際には、領域Ａ１においては清音の平仮名が対応付けられた複数のキーが表示される。なお、片仮名を入力する際には、領域Ａ１においては清音の片仮名が対応付けられた複数のキーが表示され、ラテン文字を入力する際には、ラテン文字が対応付けられた複数のキーが表示される。領域Ａ２は、検知部１０４１において行われた操作により入力された文字が表示される領域である。
【００２１】
ユーザが、検知部１０４１に触れると、指が触れた位置を表すデータが操作部１０４から制御部１０２へ送られる。制御部１０２は、操作部１０４から送られたデータを用い、検知部１０４１でユーザが行った動作を特定する（図３：ステップＳＡ１）。なお、特定される動作としては、検知部１０４１を一本の指で叩く動作（以下、第１動作と称する）、検知部１０４１を二本の指で叩く動作（以下、第２動作と称する）、検知部１０４１に一本の指で触れ、触れた指を移動させる動作（以下、第３動作と称する）、検知部１０４１に二本の指で触れ、触れた指の距離を短くする動作（以下、第４動作と称する）、検知部１０４１に二本の指で触れ、触れた指の距離を長くする動作（以下、第５動作と称する）などがある。また、制御部１０２は、操作部１０４から送られたデータが表す位置が、領域Ａ１と領域Ａ２のいずれの領域であるか特定する（ステップＳＡ２）。
【００２２】
制御部１０２は、ユーザの動作を特定すると、ステップＳＡ２で特定した領域が領域Ａ１であるか判断する。制御部１０２は、ステップＳＡ２で特定した領域が領域Ａ１である場合（ステップＳＡ３でＹＥＳ）、ステップＳＡ４で図４に示した処理を行う。
具体的には、制御部１０２は、ステップＳＡ１で特定した動作が第１動作である場合（ステップＳＢ１でＹＥＳ）、操作部１０４から送られたデータが表す位置が、清音の仮名が対応付けられているキーの画像の位置であるか判断する。ここで、制御部１０２は、操作部１０４から送られたデータが表す位置が、清音の仮名が対応付けられているキーの画像の位置である場合（ステップＳＢ２でＹＥＳ）、操作部１０４から送られたデータが表す位置と当該位置に表示されている画像とに基づいて、ユーザが入力した文字を特定する（ステップＳＢ３）。制御部１０２は、ユーザが入力した文字を特定すると、特定した文字を表示部１０４２を制御して領域Ａ２に表示させる（ステップＳＢ４）。
【００２３】
例えば、ユーザが検知部１０４１において「は」のキーの画像が透過している位置に指で触れると、「は」が表示されている位置を表すデータが操作部１０４から制御部１０２へ送られる。制御部１０２は、送られたデータが表す位置に表示されている画像を特定する。ここでは、操作部１０４から送られたデータが表す位置に「は」のキーの画像が表示されているため、制御部１０２は、ユーザが入力した文字が「は」であると特定する。制御部１０２は、ユーザが入力した文字を特定すると、表示部１０４２を制御し、特定した文字の「は」を図１１の（ａ）に示したように領域Ａ２に表示させる。
【００２４】
なお、制御部１０２は、ステップＳＢ２でＮＯと判断した場合、操作部１０４から送られたデータが表す位置にあるキーの画像に対応した処理を実行する（ステップＳＢ５）。例えば、操作部１０４から送られたデータが表す位置が「カタカナ」キーの画像の位置である場合、領域Ａ１に清音の片仮名が対応付けられた複数のキーが表示される。また、操作部１０４から送られたデータが表す位置が「英／数」キーの画像の位置である場合、領域Ａ１にラテン文字や数字が対応付けられた複数のキーが表示される。
【００２５】
次に、制御部１０２は、指が触れた位置が領域Ａ２内であり（ステップＳＡ３でＮＯ）、行われた動作が第１動作である場合（ステップＳＡ５でＹＥＳ）、ステップＳＡ６で図５に示した処理を行う。
具体的には、まず制御部１０２は、表示されている文字列の後端の文字（本実施形態においては右端の文字）が、「は行」の清音であるか判断する。ここで、表示されている文字列の後端の文字が「は行」の清音である場合（ステップＳＣ１でＹＥＳ）、制御部１０２は、入力された文字列の後端の文字を半濁音に変換し、変換後の半濁音が表示されるように表示部１０４２を制御する（ステップＳＣ２）。例えば、入力された文字列の後端の文字が「は」である場合、図１１の（ｂ）に示したように、「は」が「ぱ」に変換される。なお、後端の文字が「ぱ行」の文字の状態で領域Ａ２においてユーザが第１動作を行うと、半濁音である後端の文字が清音に変換されて表示される（ステップＳＣ３でＹＥＳ、ステップＳＣ４）。つまり、第１動作に対しては、「は行」の清音を半濁音に変換し、「ぱ行」の文字を「は行」の清音に変換するという変換規則が対応付けられている。
【００２６】
また、制御部１０２は、指が触れた位置が領域Ａ２内であり（ステップＳＡ３でＮＯ）、行われた動作が第２動作である場合（ステップＳＡ７でＹＥＳ）、ステップＳＡ８で図６に示した処理を行う。
具体的には、まず制御部１０２は、表示されている文字列の後端の文字が、「か行」、「さ行」、「た行」、又は「は行」の清音であるか、つまり濁音になり得る文字であるか判断する。ここで、制御部１０２は、表示されている文字列の後端の文字が上記の行の清音である場合（ステップＳＤ１でＹＥＳ）、入力された文字列の後端の文字を濁音に変換し、変換後の濁音が表示されるように表示部１０４２を制御する（ステップＳＤ２）。例えば、入力された文字列の後端の文字が「は」である場合、図１１の（ｃ）に示したように、「は」が「ば」に変換される。なお、後端の文字が「ば」の状態で領域Ａ２においてユーザが第２動作を行うと、濁音である後端の文字が清音に変換されて表示される（ステップＳＤ３でＹＥＳ、ステップＳＤ４）。つまり、第２動作に対しては、清音から濁音又は濁音から清音に変換するという変換規則が対応付けられている。
【００２７】
また、制御部１０２は、指が触れた位置が領域Ａ２内であり（ステップＳＡ３でＮＯ）、行われた動作が第３動作である場合（ステップＳＡ９でＹＥＳ）、ステップＳＡ１０で図７に示した処理を行う。
具体的には、まず制御部１０２は、表示されている文字列の後端の文字が濁音又は半濁音であるか判断する。ここで、制御部１０２は、表示されている文字列の後端の文字が濁音又は半濁音である場合（ステップＳＥ１でＹＥＳ）、入力された文字列の後端の文字を清音に変換し、変換後の清音が表示されるように表示部１０４２を制御する（ステップＳＥ２）。例えば「ぱ」又は「ば」が表示されていた場合、ユーザが領域Ａ２において第３動作を行うと、「ぱ」又は「ば」が「は」に変換されて表示される。つまり、第３動作に対しては、半濁音又は濁音を清音に変換するという変換規則が対応付けられている。
【００２８】
また、制御部１０２は、指が触れた位置が領域Ａ２内であり（ステップＳＡ３でＮＯ）、行われた動作が第４動作である場合（ステップＳＡ１１でＹＥＳ）、ステップＳＡ１２で図８に示した処理を行う。
具体的には、まず制御部１０２は、表示されている文字列の後端の文字が、「あ」、「い」、「う」、「え」、「お」、「つ」、「や」、「ゆ」、「よ」又は「わ」のいずれかの文字であるか、つまり捨て仮名になり得る文字であるか判断する。ここで、制御部１０２は、表示されている文字列の後端の文字が上記の予め定められた文字のうちのいずれかの文字である場合（ステップＳＦ１でＹＥＳ）、入力された文字列の後端の文字を小文字、即ち捨て仮名に変換して表示する（ステップＳＦ２）。例えば、図１１の（ｄ）に示したように、表示されている文字列の後端の文字が「あ」であった場合、「あ」が「ぁ」に変換されて表示される。つまり、第４動作に対しては、大文字から小文字に変換するという変換規則が対応付けられている。
【００２９】
また、制御部１０２は、指が触れた位置が領域Ａ２内であり（ステップＳＡ３でＮＯ）、行われた動作が第５動作である場合（ステップＳＡ１３でＹＥＳ）、ステップＳＡ１４で図９に示した処理を行う。
具体的には、まず制御部１０２は、表示されている文字列の後端の文字が、「ぁ」、「ぃ」、「ぅ」、「ぇ」、「ぉ」、「っ」、「ゃ」、「ゅ」、「ょ」又は「ゎ」のいずれかの文字であるか、つまり捨て仮名であるか判断する。ここで、制御部１０２は、表示されている文字列の後端の文字が上記の予め定められたいずれかの文字である場合（ステップＳＧ１でＹＥＳ）、入力された文字列の後端の文字を大文字、即ち捨て仮名から清音の文字に変換する（ステップＳＧ２）。例えば、図１１の（ｅ）に示したように、表示されている文字列の後端の文字が「ぁ」であった場合、「ぁ」が「あ」に変換されて表示される。つまり、第５動作に対しては、小文字から大文字に変換するという変換規則が対応付けられている。
【００３０】
本実施形態においては、濁音、半濁音、捨て仮名に対応したキーを設けなくとも、清音以外の文字が入力され、濁音、半濁音、捨て仮名に対応したキーを設ける場合と比較すると、少ないキーで濁音、半濁音、捨て仮名が入力される。なお、上述した実施形態においては、平仮名を変換しているが、片仮名についても濁音、半濁音、捨て仮名への変換を行うようにしてもよい。
【００３１】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００３２】
（１）
上述した実施形態においては、表示されている文字列の後端の文字に対して濁音への変換、半濁音への変換又は捨て仮名への変換が行われているが、これらの変換が行われる文字は、文字列の後端の文字に限定されるものではない。例えば、矢印が対応付けられたキーに触れて選択されている文字の位置を表すカーソルの位置を移動させ、カーソルの位置にある文字に対して上記の変換を行うようにしてもよい。
【００３３】
（２）
文字を変換するための動作は、上述した実施形態の動作に限定されるものではない。例えば、三本の指がタッチスクリーン１０４Ａに触れた場合に濁音や半濁音を清音に変換するようにしてもよい。また、一本の指でタッチスクリーンを二回叩く動作を行った場合、変換する文字が清音である場合には清音から濁音へ変換し、変換する文字が濁音である場合には濁音から清音へ変換するようにしてもよい。
【００３４】
（３）
上述した実施形態においては、平仮名や片仮名を変換しているが、文字の変換は平仮名や片仮名に限定されるものではなく、例えば、ラテン文字など、他の文字について各種変換を行うようにしてもよい。例えば、ラテン文字を入力する場合、二本の指をタッチスクリーン１０４Ａに接触させたまま移動させ、指が触れている位置間の距離が長くなった場合には大文字に変換し、距離が短くなった場合には小文字に変換するようにしてもよい。
また、実施形態のいずれかの動作でアキュート・アクセントが付いた文字に変換してもよく、実施形態のいずれかの動作でグレイヴ・アクセントが付いた文字に変換してもよい。また、実施形態のいずれかの動作でサーカムフレックスが付いた文字に変換してもよく、実施形態のいずれかの動作でウムラウト記号が付いた文字に変換してもよい。また、実施形態のいずれかの動作でダイアクリティカルマークが付いた文字に変換してもよい。
なお、ラテン文字に限定されるものではなく、ギリシャ文字など他の文字であってもよい。
【００３５】
（４）
上述した実施形態においては、制御部１０２が表示部１０４２を制御して文字の変換の動作を表す画像を表示するようにしてもよい。例えば、画像形成装置１は、半濁音への変換方法を表す画像として図１２の（ａ）の画像Ｇ１を表示し、半濁音への変換方法を表す画像として図１２の（ａ）の画像Ｇ２を表示する。また、画像形成装置１は、捨て仮名への変換方法を表す画像として図１２の（ｂ）の画像Ｇ３を表示し、捨て仮名から清音への変換方法を表す画像として図１２の（ｃ）の画像Ｇ４を表示する。
【００３６】
（５）
上述した実施形態においては、指で検知部１０４１に触れているが、文字の入力を行うために用いるのは指に限定されるものではなく、例えば、支持体の一例であってタッチスクリーンに対応したペンなどで検知部１０４１に触れて文字の入力を行うようにしてもよい。
【００３７】
（６）
上述した実施形態においては、領域Ａ２で行われた第４動作に応じて捨て仮名への変換が行われているが、捨て仮名の入力方法はこの方法に限定されるものではない。
例えば、二本の指で領域Ａ１に触り、一方の指で「あ」、「い」、「う」、「え」、「お」、「つ」、「や」、「ゆ」、「よ」又は「わ」のいずれかの文字のキーの画像に触れつつ、他方の指を一方の指に近づける動作を行った場合、一方の指が触れている位置にある平仮名の捨て仮名を表示するようにしてもよい。この構成の場合、例えば、人差し指で「よ」に触れつつ、親指を「よ」に近づける動作を行った場合、領域Ａ２には、「ょ」が表示される。
なお、ラテン文字の大文字のキーの画像を表示している場合、一方の指で文字のキーの画像に触れつつ、他方の指を一方の指に近づける動作を行うと小文字を表示し、ラテン文字の小文字のキーの画像を表示している場合、一方の指で文字のキーの画像に触れつつ、他方の指を一方の指から離す動作を行うと大文字を表示するようにしてもよい。
また、本変形例においては、「か行」、「さ行」、「た行」、又は「は行」の文字のキーの画像の位置に一方の指が触れ、他方の指で第１動作が行われた場合には、一方の指が触れている位置にあるキーの画像の文字を濁音に変換するようにしてもよい。
【００３８】
（７）
上述した実施形態においては、文字入力が画像形成装置１において行われているが、上述した文字入力の構成は、画像形成装置１にのみ採用されるものではない。例えば、スマートホンやタブレット型の端末、現金自動預け払い機など、他のコンピュータ装置においても、上述した実施形態の構成を採用して文字入力を行うようにしてもよい。
【００３９】
（８）
上述したＲＯＭ１０２Ｂに記憶されているプログラムは、磁気記録媒体（磁気テープ、磁気ディスク（ＨＤＤ（Hard Disk Drive）、ＦＤ（Flexible Disk）））など、光記録媒体（光ディスクなど）、光磁気記録媒体、半導体メモリなどのコンピュータ読取り可能な記録媒体に記憶した状態で提供し、画像形成装置１にインストールしてもよい。また、通信回線を介して画像形成装置１にダウンロードしてインストールしてもよい。
【符号の説明】
【００４０】
１…画像形成装置、１０１…バス、１０２…制御部、１０２Ａ…ＣＰＵ、１０２Ｂ…ＲＯＭ、１０２Ｃ…ＲＡＭ、１０３…記憶部、１０４…操作部、１０６…読取部、１０７…画像形成部、１０８…画像処理部、１０９…通信部、２００…第１制御部、２０１…第２制御部、２０２…検出部、２０３…変換部
【図１】
0005994374.tif 000002
【図２】
0005994374.tif 000003
【図３】
0005994374.tif 000004
【図４】
0005994374.tif 000005
【図５】
0005994374.tif 000006
【図６】
0005994374.tif 000007
【図７】
0005994374.tif 000008
【図８】
0005994374.tif 000009
【図９】
0005994374.tif 000010
【図１０】
0005994374.tif 000011
【図１１】
0005994374.tif 000012
【図１２】
0005994374.tif 000013